(57)【特許請求の範囲】
【請求項１】
配管の外周面に倣うよう巻き癖を付けた巻付部材の湾曲方向一端側を長尺把持具の先端部に把持させる把持工程と、
該把持工程で長尺把持具の先端部に把持させた巻付部材を配管の外周面に差し向ける移送工程と、
該移送工程で配管の外周面に差し向けられた長尺把持具先端部の巻付部材の内周面側を配管の外周面に係合させる係合工程と、
該係合工程で配管の外周面に内周面側を係合させた巻付部材の湾曲方向一端側における把持を解き、該巻付部材を配管の外周面に巻き付かせる解放工程と
を行うことを特徴とする配管用巻付部材の遠隔取付方法。
【請求項２】
前記巻付部材を、合成樹脂製である配管外装シートの表面に色付テープを貼った配管識別用シートとした請求項１記載の配管用巻付部材の遠隔取付方法。
【請求項３】
内部を流通する流体の種類や流通方向を識別するための配管表面表示の遠隔取付装置であって、
前記遠隔取付装置は、
配管の外周面に倣うよう巻き癖を付けた巻付部材と、
該巻付部材の湾曲方向一端側を把持・解放可能な長尺把持具とを備え、
該長尺把持具の先端部に把持させた巻付部材を配管の外周面に差し向け、該配管の外周面に差し向けられた長尺把持具先端部の巻付部材の内周面側を配管の外周面に係合させ、該配管の外周面に内周面側を係合させた巻付部材の湾曲方向一端側における把持を解き、該巻付部材を配管の外周面に巻き付かせるよう構成したことを特徴とする配管表面表示の遠隔取付装置。
【請求項４】
溝形の軽量形鋼をその溝側とは反対の背面側が密着するよう重ね合せ、結束材で長手方向へスライド自在に固縛することにより、前記長尺把持具を構成した請求項３記載の配管表面表示の遠隔取付装置。
【請求項５】
前記巻付部材を、合成樹脂製である配管外装シートの表面に色付テープを貼った配管識別用シートとした請求項３又は４記載の配管表面表示の遠隔取付装置。
【発明の詳細な説明】
【技術分野】
【０００１】
本発明は、配管用巻付部材の遠隔取付方法及び配管表面表示の遠隔取付装置に関するものである。
【背景技術】
【０００２】
一般に、工場や事務所ビル等においては、建屋内部における天井内部に各種配管が配設されるが、該配管には、その内部を流通する液体や気体等の流体の種類や流通方向等を識別するための表示を行う必要がある。
【０００３】
これは、予め設定された期間毎に定期的に実施されるメンテナンス、配管更新、或いは改修工事等を行う際に、その配管がどのような液体や気体を流通させるものであるかが把握できないと、作業を進めることが困難となるためである。
【０００４】
従来、前記配管に対する識別表示は、巻付部材としての配管識別用シートを作業員が直接手に持って、配管の外周面に両面テープで貼り付けることによって行われている。又、保温或いは冷却保持のための断熱材が配管を覆っている場合には、やはり前記配管識別用シートを作業員が直接手に持って、前記断熱材の外周面に対し鋲で固定することにより、前記配管に対する識別表示が行われている。一方、アルミニウム製の色付テープ（配管識別テープ）を前記配管或いは断熱材の外周面に直接貼り付けることによって前記配管に対する識別表示を行うこともある。いずれにしても、従来の場合、前記配管識別用シートや配管識別テープを配管に取り付けるには、作業員が直接手に持って巻き付ける作業を行う必要があり、こうした作業は、作業員の手の届く範囲に限定され且つ作業場所を確保する必要がある。
【０００５】
尚、配管に対する識別表示と関連する一般的技術水準を示すものとしては、例えば、特許文献１がある。
【先行技術文献】
【特許文献】
【０００６】
【特許文献１】特開２００８−３１０１６７号公報
【発明の概要】
【発明が解決しようとする課題】
【０００７】
ところで、前述の如き作業員による巻付部材としての配管識別用シートの貼り付け作業は、建屋建設工事の竣工間際で、床や天井の施工がある程度終了してから行われることが多い。
【０００８】
このため、高所作業車や高所作業台の搬入並びにその設置場所が制限されることも多々あり、このような場合、前記配管識別用シートの貼り付け作業を行うためには、立ち馬等の補助作業台や足場を使って作業員が天井裏へ潜り込む必要が生じていた。
【０００９】
しかしながら、前記立ち馬等の補助作業台や足場を使って作業員が天井裏へ潜り込めた場合でも、作業員と配管との間にダクトがあったり、或いは多数の配管が錯綜していたりすると、前記ダクトや他の配管等の障害物が邪魔をして、前記配管識別用シートの貼り付け作業を行えなくなるという問題を有していた。
【００１０】
又、天井裏の高い位置に配管が存在している場合、前記立ち馬等の補助作業台や足場を使っても作業員の手が届かず、配管識別用シートを貼り付けることができなくなることもあった。
【００１１】
本発明は、斯かる実情に鑑み、作業員と配管との間に障害物が存在していたり或いは作業員の手の届かない位置に配管がある場合にも巻付部材を確実且つ効率良く取り付け得る配管用巻付部材の遠隔取付方法及び配管表面表示の遠隔取付装置を提供しようとするものである。
【課題を解決するための手段】
【００１２】
本発明は、配管の外周面に倣うよう巻き癖を付けた巻付部材の湾曲方向一端側を長尺把持具の先端部に把持させる把持工程と、
該把持工程で長尺把持具の先端部に把持させた巻付部材を配管の外周面に差し向ける移送工程と、
該移送工程で配管の外周面に差し向けられた長尺把持具先端部の巻付部材の内周面側を配管の外周面に係合させる係合工程と、
該係合工程で配管の外周面に内周面側を係合させた巻付部材の湾曲方向一端側における把持を解き、該巻付部材を配管の外周面に巻き付かせる解放工程と
を行うことを特徴とする配管用巻付部材の遠隔取付方法にかかるものである。
【００１３】
前記配管用巻付部材の遠隔取付方法においては、前記巻付部材としては、例えば、合成樹脂製である配管外装シートの表面に色付テープを貼った配管識別用シートとすることができるが、この限りではない。
【００１４】
一方、本発明は、内部を流通する流体の種類や流通方向を識別するための配管表面表示の遠隔取付装置であって、
前記遠隔取付装置は、
配管の外周面に倣うよう巻き癖を付けた巻付部材と、
該巻付部材の湾曲方向一端側を把持・解放可能な長尺把持具とを備え、
該長尺把持具の先端部に把持させた巻付部材を配管の外周面に差し向け、該配管の外周面に差し向けられた長尺把持具先端部の巻付部材の内周面側を配管の外周面に係合させ、該配管の外周面に内周面側を係合させた巻付部材の湾曲方向一端側における把持を解き、該巻付部材を配管の外周面に巻き付かせるよう構成したことを特徴とする配管表面表示の遠隔取付装置にかかるものである。
【００１５】
前記配管表面表示の遠隔取付装置においては、溝形の軽量形鋼をその溝側とは反対の背面側が密着するよう重ね合せ、結束材で長手方向へスライド自在に固縛することにより、前記長尺把持具を構成することができる。
【００１６】
又、前記配管表面表示の遠隔取付装置においては、前記巻付部材としては、例えば、合成樹脂製である配管外装シートの表面に色付テープを貼った配管識別用シートとすることができるが、この限りではない。
【００１７】
上記手段によれば、以下のような作用が得られる。
【００１８】
先ず、配管の外周面に倣うよう巻き癖を付けた巻付部材の湾曲方向一端側を長尺把持具に把持させ、続いて、前記長尺把持具の先端部に把持させた巻付部材を配管の外周面に差し向け、引き続き、前記配管の外周面に差し向けられた長尺把持具先端部の巻付部材の内周面側を配管の外周面に係合させ、この後、前記配管の外周面に内周面側を係合させた巻付部材の湾曲方向一端側における把持を解くようにすると、前記巻付部材は、その巻き癖により配管の外周面に巻き付くようになる。
【００１９】
この結果、作業員が床に立ったまま、前記長尺把持具を使って巻付部材を配管に取り付けることが可能となる一方、立ち馬等の補助作業台や足場を使って作業員が天井裏を覗き込んだ際、該作業員と配管との間にダクトがあったり、或いは多数の配管が錯綜していたとしても、前記ダクトや他の配管等の障害物を避けて、前記巻付部材の取り付け作業を行うことが可能となる。
【００２０】
又、天井裏の高い位置に配管が存在している場合、作業員の手が届かなかったとしても、前記長尺把持具を使うことにより、前記巻付部材を配管に取り付けることが可能となる。
【００２１】
更に又、溝形の軽量形鋼をその溝側とは反対の背面側が密着するよう重ね合せ、結束材で長手方向へスライド自在に固縛することにより、前記長尺把持具を構成すれば、専用の特別な部材は一切不要となり、建設工事現場にある軽量形鋼を利用可能で、しかも、該軽量形鋼は重くないことから前記巻付部材の取り付け作業時における作業員の負担も少なくて済む。
【発明の効果】
【００２２】
本発明の配管用巻付部材の遠隔取付方法及び配管表面表示の遠隔取付装置によれば、作業員と配管との間に障害物が存在していたり或いは作業員の手の届かない位置に配管がある場合にも巻付部材を確実且つ効率良く取り付け得るという優れた効果を奏し得る。
【図面の簡単な説明】
【００２３】
【図１】本発明の配管用巻付部材の遠隔取付方法及び配管表面表示の遠隔取付装置の実施例における工程の流れを示すフローチャートである。
【図２】本発明の配管用巻付部材の遠隔取付方法及び配管表面表示の遠隔取付装置の実施例における作業状況を示す概要図である。
【図３】本発明の配管用巻付部材の遠隔取付方法及び配管表面表示の遠隔取付装置の実施例における長尺把持具を構成する軽量形鋼を示す斜視図である。
【図４】本発明の配管用巻付部材の遠隔取付方法及び配管表面表示の遠隔取付装置の実施例における長尺把持具を示す斜視図である。
【図５】本発明の配管用巻付部材の遠隔取付方法及び配管表面表示の遠隔取付装置の実施例において巻付部材の湾曲方向一端側を長尺把持具の先端部に把持させた状態を示す斜視図である。
【図６】本発明の配管用巻付部材の遠隔取付方法及び配管表面表示の遠隔取付装置の実施例において長尺把持具先端部の巻付部材の内周面側を配管の外周面に係合させた状態を示す斜視図である。
【図７】本発明の配管用巻付部材の遠隔取付方法及び配管表面表示の遠隔取付装置の実施例において配管の外周面に内周面側を係合させた巻付部材の湾曲方向一端側における把持を解いた状態を示す斜視図である。
【図８】本発明の配管用巻付部材の遠隔取付方法及び配管表面表示の遠隔取付装置の実施例において巻付部材を配管の外周面に巻き付かせた状態を示す斜視図である。
【図９】本発明の配管用巻付部材の遠隔取付方法及び配管表面表示の遠隔取付装置の実施例において巻付部材を配管の外周面に巻き付かせた状態を示す断面図である。
【発明を実施するための形態】
【００２４】
以下、本発明の実施の形態を添付図面を参照して説明する。
【００２５】
図１〜図９は本発明の配管用巻付部材の遠隔取付方法及び配管表面表示の遠隔取付装置の実施例であって、配管１の外周面に倣うよう巻き癖を付けた巻付部材２の湾曲方向一端側を長尺把持具３の先端部に把持させ（把持工程）、該把持工程で長尺把持具３の先端部に把持させた巻付部材２を配管１の外周面に差し向け（移送工程）、該移送工程で配管１の外周面に差し向けられた長尺把持具３先端部の巻付部材２の内周面側を配管１の外周面に係合させ（係合工程）、該係合工程で配管１の外周面に内周面側を係合させた巻付部材２の湾曲方向一端側における把持を解き、該巻付部材２を配管１の外周面に巻き付かせる（解放工程）ようにしたものである。
【００２６】
本実施例の場合、前記巻付部材２は、合成樹脂製である配管外装シート２ａの表面に、例えば、アルミニウム製の色付テープ２ｂを貼り、該色付テープ２ｂの色により配管１内部を流通する流体の種類を識別できるようにした配管識別用シートとしてある。但し、前記色付テープ２ｂを貼り付けずに、配管外装シート２ａの表面に直接、流体の名称を記載したり、色を塗ったり、或いは流体の流通方向を示す矢印等を記入しても良いことは言うまでもない。
【００２７】
又、前記長尺把持具３は、図３及び図４に示す如く、溶融亜鉛メッキ鋼板等で形成された溝形（断面コ字状）の軽量形鋼３ａをその溝側とは反対の背面側が密着するよう重ね合せ、結束材３ｂで長手方向へスライド自在に固縛することにより構成してある。前記結束材３ｂの具体的な例としては、針金や紐状物等があるが、前記長尺把持具３を構成することができれば、これに限らない。又、図４〜図８に示す例では、軽量形鋼３ａに対する固縛箇所は三箇所としているが、これはあくまでも一例であり、前記長尺把持具３の機能を保持できる範囲で、必要に応じてその固縛箇所を増減しても良いことは言うまでもない。
【００２８】
尚、図６〜図９には、前記配管１として、管本体１ａの外周を保温或いは冷却保持のための断熱材１ｂで覆ったものを示しているが、前記管本体１ａが断熱材１ｂで覆われていない場合もある。
【００２９】
又、図２において、４は立ち馬、５は天井内に配設されたダクトである。
【００３０】
次に、上記実施例の作用を説明する。
【００３１】
先ず、把持工程として、図５に示す如く、配管１（図６参照）の外周面に倣うよう巻き癖を付けた巻付部材２の湾曲方向一端側を長尺把持具３の二本の軽量形鋼３ａの先端部の間に差し込むようにして把持させる。
【００３２】
続いて、移送工程として、前記把持工程で長尺把持具３の先端部に把持させた巻付部材２を配管１の外周面に差し向ける。
【００３３】
引き続き、係合工程として、図２及び図６に示す如く、前記移送工程で配管１の外周面に差し向けられた長尺把持具３先端部の巻付部材２の内周面側を配管１の外周面に係合させる。
【００３４】
この後、解放工程として、図７に示す如く、前記結束材３ｂで固縛された下側の軽量形鋼３ａを上側の軽量形鋼３ａに対し巻付部材２から離れるようにその長手方向へスライドさせることにより、前記係合工程で配管１の外周面に内周面側を係合させた巻付部材２の湾曲方向一端側における把持を解くようにすると、図８及び図９に示す如く、前記巻付部材２は、その巻き癖により配管１の外周面に巻き付くようになる。尚、図９の例では、巻付部材２は、その端部同士が重なり合うようにして配管１の外周面に巻き付いているが、該配管１から脱落しない範囲で、端部同士を重ね合わせずにある程度の隙間を持たせるようにして、配管１の外周面に巻き付かせても良いことは勿論である。
【００３５】
この結果、図２に示す如く、作業員が床に立ったまま、前記長尺把持具３を使って巻付部材２を配管１に取り付けることが可能となる一方、立ち馬４等の補助作業台や足場（図示せず）を使って作業員が天井裏を覗き込んだ際、該作業員と配管１との間にダクト５があったり、或いは多数の配管１が錯綜していたとしても、前記ダクト５や他の配管１等の障害物を避けて、前記巻付部材２の取り付け作業を行うことが可能となる。
【００３６】
又、天井裏の高い位置に配管１が存在している場合、作業員の手が届かなかったとしても、前記長尺把持具３を使うことにより、前記巻付部材２を配管１に取り付けることが可能となる。
【００３７】
更に又、前記長尺把持具３は、図３及び図４に示す如く、溶融亜鉛メッキ鋼板等で形成された溝形の軽量形鋼３ａをその溝側とは反対の背面側が密着するよう重ね合せ、結束材３ｂで長手方向へスライド自在に固縛することにより構成してあるため、専用の特別な部材は一切不要となり、建設工事現場にある軽量形鋼３ａを利用可能で、しかも、該軽量形鋼３ａは重くないことから前記巻付部材２の取り付け作業時における作業員の負担も少なくて済む。
【００３８】
こうして、作業員と配管１との間に障害物が存在していたり或いは作業員の手の届かない位置に配管１がある場合にも巻付部材２を確実且つ効率良く取り付け得る。
【００３９】
尚、本発明の配管用巻付部材の遠隔取付方法及び配管表面表示の遠隔取付装置は、上述の実施例にのみ限定されるものではなく、配管識別用の巻付部材に限らず、例えば、電気配線の用途表示、或いは工事用単管等の棒状物への注意標識として用いられる巻付部材にも適用可能であること等、その他、本発明の要旨を逸脱しない範囲内において種々変更を加え得ることは勿論である。
【符号の説明】
【００４０】
１    配管
２    巻付部材
２ａ  配管識別用シート
２ｂ  色付テープ
３    長尺把持具
３ａ  軽量形鋼
３ｂ  結束材
【図１】
0006012994.tif 000002
【図２】
0006012994.tif 000003
【図３】
0006012994.tif 000004
【図４】
0006012994.tif 000005
【図５】
0006012994.tif 000006
【図６】
0006012994.tif 000007
【図７】
0006012994.tif 000008
【図８】
0006012994.tif 000009
【図９】
0006012994.tif 000010